(57)【要約】【課題】シャッタの切りむらを抑制する。【解決手段】シャッタユニット１は、露光用開口部１２を有するベース１１と、露光用開口部１２を開閉する４枚のシャッタ羽根１３（１３Ａ〜１３Ｄ）と、駆動ピン１５と、駆動レバー１６と、を備える。駆動レバー１６は、シャッタ羽根１３に連結する連結部と駆動ピン１５が貫通する孔１７とを有し、ベース１１に固定された軸４２を中心に揺動する。また、孔１７は、駆動ピン１５が摺動する部分が、移動方向に湾曲してふくらんだカム形状を有する。【選択図】図１
2016180809.tif 000002
【特許請求の範囲】
【請求項１】
露光用開口部を有するベースと、
前記露光用開口部を開閉するシャッタ羽根と、
駆動ピンと、
前記シャッタ羽根に連結する連結部と前記駆動ピンが貫通する孔部とを有し、前記ベースに固定された軸を中心に揺動する駆動レバーと、
を備え、
前記孔部は、前記駆動ピンが摺動する部分が、移動方向に湾曲してふくらんだカム形状を有する、
カメラ用シャッタ装置。
【請求項２】
前記駆動ピンは、前記シャッタ羽根を閉じるとき、前記孔部を一方向に摺動し、
前記孔部は、前記駆動ピンが前記シャッタ羽根を閉じるときに、前記駆動ピンが摺動する部分が、移動方向に湾曲してふくらんだカム形状を有する、
請求項１に記載のカメラ用シャッタ装置。
【請求項３】
前記駆動ピンはアクチュエータにより駆動され、
前記アクチュエータは、往復回転する回転子を有し、
前記駆動ピンは、前記回転子の軸に連結されたアームに固定され、
前記シャッタ羽根が全開または閉じ切ったときの前記駆動ピンが、前記回転子の軸と、前記駆動レバーの軸とを結ぶ直線上に位置するように、前記アクチュエータが固定される、
請求項１又は２に記載のカメラ用シャッタ装置。
【請求項４】
前記シャッタ羽根を全開から前記露光用開口部を閉じ始めるまで駆動するとき、前記駆動ピンが駆動される角度を前記駆動レバーが揺動される角度で除した値は、前記シャッタ羽根を前記露光用開口部を閉じ始めから閉じ切るまで駆動するとき、前記駆動ピンが駆動される角度を前記駆動レバーが揺動される角度で除した値より大きい、
請求項１乃至３の何れか１項に記載のカメラ用シャッタ装置。
【請求項５】
前記孔部は、前記駆動ピンが前記シャッタ羽根を開くときに、前記駆動ピンが摺動する部分が、直線を含む、
請求項１乃至４の何れか１項に記載のカメラ用シャッタ装置。
【請求項６】
請求項１乃至５の何れか１項に記載のカメラ用シャッタ装置を備えるカメラ。
【発明の詳細な説明】
【技術分野】
【０００１】
本発明は、主にカメラ用シャッタ装置およびカメラに関する。
【背景技術】
【０００２】
例えば、デジタルスチルカメラは、カメラ自体の小型化やカメラ内部に搭載されるシャッタの動きを高速化することにより、付加価値を高めることが要求されている。シャッタの動きを高速化することにより、例えば、「カメラに備えられる撮像素子が、撮影したい画像情報を外部からレンズを介して取り込んだ後に、シャッタにより、より早くノイズ（余計な光）を遮断することで、より良好な画質の撮影画像を提供すること」が期待できる。シャッタを駆動するアクチュエータのサイズを大きくすると、シャッタの高速化が可能である。しかし、アクチュエータのサイズを大きくすると、シャッタユニットが大きくなり、カメラの小型化の要求に応えることができない。そこで、アクチュエータのサイズを大きくすることなくシャッタスピードを高速化することが望まれている。
【０００３】
特許文献１に、シャッタスピードを向上させたカメラ用シャッタ装置が開示されている。このカメラ用シャッタ装置は、アクチュエータにより駆動される駆動ピンと、駆動ピンが貫通する貫通孔を有するセクタ（シャッタ羽根）とを備える。セクタに設けられた貫通孔は、駆動ピンが駆動された直後は、駆動ピンが実質的に無負荷駆動となるような孔形状（長孔形状）に形成されている。これにより、駆動直後にはセクタを作動させず、十分に駆動ピンが加速された後でシャッタ羽根を作動させることにより、シャッタスピードを高速化させている。
【先行技術文献】
【特許文献】
【０００４】
【特許文献１】特開２００２−２７７９２７号公報
【発明の概要】
【発明が解決しようとする課題】
【０００５】
特許文献１に記載されたカメラ用シャッタでは、貫通孔の内周と駆動ピンとの間に間隔があるため、駆動ピンからシャッタ羽根に動作をスムーズに伝達できない。このため、シャッタの切りむらが生じ易い。
【０００６】
本発明は、このような実情に鑑みてなされたものであり、シャッタの切りむらが少ないカメラ用シャッタ装置およびカメラを提供することを目的とする。
【課題を解決するための手段】
【０００７】
上記目的を達成するため、本発明の第１の観点に係るカメラ用シャッタ装置は、
露光用開口部を有するベースと、
前記露光用開口部を開閉するシャッタ羽根と、
駆動ピン（例えば、駆動ピンはアクチュエータにより駆動される）と、
前記シャッタ羽根に連結する連結部と前記駆動ピンが貫通する孔部とを有し、前記ベースに対して固定された軸を中心に揺動する駆動レバーと、
を備え、
前記孔部は、前記駆動ピンが摺動する部分が、移動方向に湾曲してふくらんだカム形状を有する。
【０００８】
より具体的に述べると、例えば、前記駆動ピンは、前記シャッタ羽根を閉じるとき、前記孔部を一方向に摺動し（好ましくは前記孔部を一方向に常に摺動し）、前記孔部は、前記駆動ピンが前記シャッタ羽根を閉じるときに、前記駆動ピンが摺動する部分が、移動方向に湾曲してふくらんだカム形状を有する。
【０００９】
このようにすることで、前記駆動ピンが速く摺動するので、前記シャッタ羽根が前記露光用開口部を閉じ始めるまでに（より具体的には、図５に示すような、露光用開口部１２が全開している際までに）、前記駆動ピンを十分加速する。このため、より短い時間で前記シャッタ羽根を閉じることができる。より具体的には、図５で示す状態から図７の状態に変化する時間（図１１で示すようなｔ２−ｔ１の時間）をより短い時間とすることである。この「短い時間」により、例えば、本発明を備えるカメラでは、より良好な画質の撮影画像を提供することができる。これらを提供することは、「カメラに備えられる撮像素子が、撮影したい画像情報をカメラ外からレンズを介して取り込んだ後に、シャッタ羽根により、より早くノイズ（余計な光）を遮断すること」による。
また前記シャッタ羽根が短い時間で閉じることにより、シャッタの切りむらを少なくすることが可能である。
【００１０】
例えば、前記駆動ピンはアクチュエータにより駆動され、
前記アクチュエータは、往復回転する回転子を有し、
前記駆動ピンは、前記回転子の軸に連結されたアームに固定され、
前記シャッタ羽根が全開または閉じ切ったときの前記駆動ピンが、前記回転子の軸と、前記駆動レバーの軸とを結ぶ直線上に位置するように、前記アクチュエータが固定される、
こととしてもよい。
このようにすることで、前記駆動ピンが、前記シャッタ羽根を閉じるとき、前記孔部を一方向に摺動する構成となる。
【００１１】
例えば、前記シャッタ羽根を全開から前記露光用開口部を閉じ始めるまで駆動するとき、前記駆動ピンが駆動される角度を前記駆動レバーが揺動される角度で除した値は、前記シャッタ羽根を前記露光用開口部を閉じ始めから閉じ切るまで駆動するとき、前記駆動ピンが駆動される角度を前記駆動レバーが揺動される角度で除した値より大きい、
こととしてもよい。
このようにすることで、前記シャッタ羽根を全開から閉じ始めるまで駆動するとき、前記駆動ピンの駆動範囲を大きくすることができる。このため、前記駆動ピンの動き始めの負荷を低減でき、前記シャッタ羽根を閉じ始めるまでに駆動ピンが十分加速される。また、前記駆動ピンの小さい範囲の駆動で、前記シャッタ羽根を閉じ始めてから閉じ切るまでを駆動する。このため、前記シャッタ羽根を閉じ始めてから閉じ切るまでを短い時間で駆動する。
【００１２】
例えば、前記孔部は、前記駆動ピンが前記シャッタ羽根を開くときに、前記駆動ピンが摺動する部分が、直線を含む、
こととしてもよい。
このようにすることで、前記シャッタ羽根を全閉から全開に駆動するときの動きをスムーズに行う。
【００１３】
上記目的を達成するため、本発明の第２の観点に係るカメラは、
前記カメラ用シャッタ装置を備える。
【発明の効果】
【００１４】
本発明によれば、シャッタ羽根が前記露光用開口部を閉じ始めるまでに、駆動ピンがより速く摺動するので、撮像素子が、撮影したい画像情報を取り込んだ後に、シャッタ羽根により、より早くノイズ（余計な光）を遮断することができる。
また、シャッタ羽根を短い時間で閉じることにより、シャッタの切りむらを少なくすることが可能性である。
【図面の簡単な説明】
【００１５】
【図１】本発明の実施の形態に係るシャッタユニットを示す図である。
【図２】本発明の実施の形態に係る電磁アクチュエータを示す図である。
【図３】本発明の実施の携帯に係る駆動レバーを示す図である。
【図４】本発明の実施の形態に係る駆動ピンと駆動レバーとの動作を示す図である。
【図５】本発明の実施の形態に係るシャッタユニットの動作を示す図である。
【図６】本発明の実施の形態に係る駆動ピンと駆動レバーとの動作を示す図である。
【図７】本発明の実施の形態に係るシャッタユニットの動作を示す図である。
【図８】本発明の実施の形態に係る駆動ピンと駆動レバーとの動作を示す図である。
【図９】本発明の実施の形態に係るシャッタユニットの動作を示す図である。
【図１０】本発明の実施の形態に係る駆動ピンと駆動レバーとの動作を示す図である。
【図１１】本発明の実施の形態に係る駆動ピンの駆動角の動きを示す図である。
【図１２】比較例の駆動ピンと駆動レバーとの動作を示す図である。
【図１３】比較例の駆動ピンと駆動レバーとの動作を示す図である。
【図１４】比較例の駆動ピンと駆動レバーとの動作を示す図である。
【図１５】比較例の駆動ピンと駆動レバーとの動作を示す図である。
【図１６】比較例の駆動ピンの駆動角の動きを示す図である。
【発明を実施するための形態】
【００１６】
以下、本発明の実施の形態（以下、「本実施の形態」と記載することもある）に係るシャッタユニットについて、図面を参照しながら詳細に説明する。
【００１７】
（本実施の形態）
本実施の形態に係るシャッタユニット１は、デジタルスチルカメラ用のもので、図１に示すように、露光用開口部１２を有するベース１１と、露光用開口部１２を開閉する４枚のシャッタ羽根１３（１３Ａ〜１３Ｄ）と、電磁アクチュエータ１４と、電磁アクチュエータ１４により駆動される駆動ピン１５と、駆動ピン１５の動きをシャッタ羽根１３に伝達する駆動レバー１６と、を備える。以下、各構成について説明する。
【００１８】
ベース１１は、シャッタ羽根１３、電磁アクチュエータ１４などが取り付けられる円盤状の支持部材であり、中央部に円形の露光用開口部１２が形成されている。
【００１９】
シャッタ羽根１３Ａ〜１３Ｄは、協同して露光用開口部１２を開閉する片羽状のシート状部材であり、光非透過性のフィルム部材から構成されている。シャッタ羽根１３Ａ〜１３Ｄは、その根本部に孔２３Ａ〜２３Ｄを備える。ベース１１に垂設された軸２２Ａ〜２２Ｄが孔２３Ａ〜２３Ｄに挿通され、シャッタ羽根１３Ａ〜１３Ｄは、これらの軸２２Ａ〜２２Ｄを支点として揺動可能となっている。また、シャッタ羽根１３Ａ〜１３Ｄの根本部の近傍には、駆動レバー１６に設けられた作動ピン２５が貫通する貫通孔２４Ａ〜２４Ｄが設けられている。
【００２０】
電磁アクチュエータ１４は、ムービングマグネット型モータと称されている電流制御式のアクチュエータであり、図２に示すように、励磁コイル３１と、枠部材３２と、回転軸３３と、回転子３４と、駆動アーム３５とを備え、シャッタ羽根１３を駆動する駆動ピン１５を駆動する。励磁コイル３１は、枠部材３２に巻回され、通電方向に応じて、磁界を発生する。枠部材３２は、全体を覆うと共にヨークとして機能し、励磁コイル３１が発生した磁界を回転子３４に導く。回転子３４は、周方向に着磁されて、枠部材３２から供給される磁界により回転する。回転軸３３は回転子３４の中心に固定され、回転中心となる。
【００２１】
駆動アーム３５は、その根元部が回転軸３３に嵌合し、回転子３４の回転により回転軸３３を中心に揺動する。駆動アーム３５の先端部には、駆動レバー１６の孔１７に挿通された、駆動ピン１５が固定されている。
電磁アクチュエータ１４は、図９に示すように、シャッタ羽根１３を全閉したときに、その回転軸３３と駆動ピン１５と軸４２とが直線上に位置するように、ベース１１上に設けられている。これにより、駆動ピン１５は、シャッタ羽根１３を閉じるとき、孔１７の内面を一方向に摺動する。また、電磁アクチュエータ１４は、励磁コイル３１への通電方向に対応して、回転子３４が、所定の角度、例えば、３５°で往復回転するように、回転域が制限されている。
【００２２】
図１に戻り、駆動レバー１６は、駆動ピン１５からシャッタ羽根１３に動きを伝達する部材であり、中央部に孔４１を有する。ベース１１に垂設された軸２４が孔４１を軸支し、駆動レバー１６は、軸４２を支点として揺動可能となっている。駆動レバー１６は、一端に作動ピン２５を有する。作動ピン２５は、シャッタ羽根１３Ａ〜１３Ｄの根本部の近傍に設けられた貫通孔２４Ａ〜２４Ｄに挿通されている。駆動レバー１６は、他端に孔１７を有する。孔１７には、駆動ピン１５が貫通している。
【００２３】
孔１７は、図３に示すように、駆動ピン１５がシャッタ羽根１３を閉じるときに、駆動ピン１５が摺動する部分にカム形状の湾曲部３６を有している。また、駆動ピン１５がシャッタ羽根１３を開くときに、駆動ピン１５が摺動する部分に直線部３７を有している。
【００２４】
次に、本実施の形態のシャッタユニット１の作動を説明する。シャッタユニット１は、上述したように、デジタルスチルカメラに採用されると好適となるように構成されている。シャッタユニット１は、デジタルスチルカメラに備えられた場合、撮影の待機状態では、図１に示すように、露光用開口部１２を全開にしている。このため、レンズを透過した被写体像は、カメラの撮像素子に結像しており、被写体像をモニターで観察可能となっている。また、駆動ピン１５は、図４に示すように、可動範囲の一方の端に位置する。
【００２５】
撮影に際してレリーズボタンが押されると、撮像素子にリセット信号を送り、蓄積されていた電荷が放電され、あらたな電荷の蓄積を開始することによって撮影を開始する。その後、所定の露光時間が経過すると、露光制御回路からの信号によって、電磁アクチュエータ１４の励磁コイル３１に正方向の通電がされる。励磁コイル３１に正方向の通電がされると、回転子３４が時計回りに回転し、回転軸３３を介して駆動アーム３５を時計回りに駆動する。駆動アーム３５が時計回りに駆動されると、それに伴い駆動ピン１５は時計回りに駆動される。駆動ピン１５が時計回りに駆動されると、駆動ピン１５から孔１７の内周面に力が伝達され、駆動レバー１６は反時計回りに揺動する。駆動レバー１６が反時計回りに揺動すると、駆動レバー１６に設けられた作動ピン２５からシャッタ羽根１３に動力が伝達され、シャッタ羽根１３は露光用開口部１２を閉じる方向に駆動される。
【００２６】
まず、シャッタ羽根１３は、図５に示すように、露光用開口部１２を閉じ始める位置まで駆動される。本実施の形態を備えるカメラは、この図５に示す状態になるまでに、カメラに備えられる撮像素子が、カメラ外からレンズを介して、撮影したい画像情報を取り込む。このとき、駆動ピン１５は、図６に示すように、可動範囲の中間地点に位置している。つぎに、シャッタ羽根１３は、図７に示すように、露光用開口部１２を閉じ切る位置に移動する。このとき、駆動ピン１５は、図８に示すように、可動範囲の他方の端の近傍に位置する。
【００２７】
その後、図９に示すように、露光用開口部１２を全閉し、シャッタ羽根１３がストッパー５２に当接して停止する。このとき、駆動ピン１５は、図１０に示すように、可動範囲の他方の端に位置する。カメラは、この状態において撮像情報を記憶装置に転送する。そして、その転送が終了すると、電磁アクチュエータ１４に上記の場合とは逆方向の通電が行われる。これにより、回転子３４は反時計方向へ回転して、シャッタ羽根１３を開く方向に駆動する。シャッタ羽根１３は、露光用開口部１２を全開にすると、シャッタ羽根１３がストッパー５１に当接して停止する。駆動ピン１５がシャッタ羽根１３を開くときに、駆動ピン１５が摺動する部分に直線部３７を含んでいることで、前記シャッタ羽根を全閉から全開に駆動するときの動きをスムーズに行う。その後、電磁アクチュエータ１４への通電を断つと、図１に示した全開に復帰したことになる。
【００２８】
つぎに、駆動ピン１５と駆動レバー１６との動きについて具体的に説明する。シャッタ羽根１３を全開から全閉まで駆動するとき、駆動ピン１５が駆動される角度は３５°であり、駆動レバー１６が揺動される角度は１６°であるとする。また、全開から駆動レバー１６が６°揺動されると、シャッタ羽根１３は、露光用開口部１２を閉じ始めるとする。また、シャッタ羽根１３が露光用開口部１２を閉じ始めてから、駆動レバー１６が８°揺動されると、シャッタ羽根１３は露光用開口部１２を閉じ切るとする。また、シャッタ羽根１３が露光用開口部１２を閉じ切ってから、駆動レバー１６が２°揺動されると、シャッタ羽根１３は全閉になるとする。
【００２９】
図１に示すように、シャッタ羽根１３が全開であるときの、駆動ピン１５と駆動レバー１６との位置関係を図４に示す。駆動ピン１５は、孔１７の一方の端の湾曲部３６に当接している。この状態から、駆動ピン１５を１８．０°駆動すると、図６に示すように、駆動レバー１６が６°揺動し、シャッタ羽根１３は、図５に示すように、露光用開口部１２を閉じ始める位置まで駆動される。このとき、駆動ピン１５は、駆動レバー１６の孔１７の湾曲部３６の中間地点まで湾曲部３６の内面を摺動する。孔１７が湾曲部３６を有することで、孔１７が湾曲部３６を有さない場合と比較して、駆動ピン１５を揺動する角度に対して駆動レバー１６が揺動する角度が小さくなる。つぎに、図８に示すように、駆動ピン１５を１３．０°駆動すると、駆動レバー１６は８°揺動し、シャッタ羽根１３は、図７に示すように、露光用開口部１２を閉じ切る位置まで駆動される。このとき、駆動ピン１５は、駆動レバー１６の孔１７の湾曲部３６の他方の端まで湾曲部３６の内面を摺動する。孔１７が湾曲部３６を有することで、孔１７が湾曲部３６を有さない場合と比較して、駆動ピン１５を揺動する角度に対して駆動レバー１６が揺動する角度が大きくなる。つぎに、図１０に示すように、駆動ピン１５を４．０°駆動すると、駆動レバーは２°揺動し、シャッタ羽根１３は、図９に示すように、露光用開口部１３を全閉する。
【００３０】
つぎに、駆動ピン１５が駆動される角度と駆動レバー１６が揺動する角度との関係について説明する。シャッタ羽根１３を全開から全閉まで駆動する（全体の動作）とき、駆動レバー１６が揺動する角度を駆動ピン１５が駆動される角度で除した値ＴＲは、１６°／３５°＝０．４６である。シャッタ羽根１３を全開から露光用開口部１２を閉じ始める位置まで駆動する（第１動作）とき、駆動レバー１６が揺動する角度を駆動ピン１５が駆動される角度で除した値ＦＲは、６°／１８．０°＝０．３３である。第１動作の値ＦＲは、全体の動作の値ＴＲより小さくなっている。これは、第１動作は、全体の動作と比べて、駆動ピン１５が駆動される角度に対して駆動レバー１６が揺動する角度が小さいことを示している。このように本実施の形態のシャッタユニット１は、第１動作では、駆動ピン１５は、孔１７のカム形状の湾曲部３６の下り坂の部分を摺動するため、効率的に加速する。また、全開から閉じ始めまでの領域で駆動ピン１５が大きく駆動する。また、駆動ピン１５が駆動される角度に対して駆動レバー１６が揺動する角度が小さくなることから、駆動ピン１５の動き始めの負荷が減少する。
【００３１】
また、シャッタ羽根１３が露光用開口部１２を閉じ始める位置から閉じ切る位置まで移動するとき（第２動作）、駆動レバー１６が揺動される角度を駆動ピン１５が駆動される角度で除した値ＳＲは、８°／１３．０°＝０．６２である。第２動作の値ＳＲは、全体の動作の値ＴＲより大きくなっている。これは、第２動作は、全体の動作と比べて、駆動ピン１５が駆動される角度に対して駆動レバー１６が揺動される角度が大きいことを示している。このことにより、駆動ピン１５の小さい駆動でシャッタ羽根１３の閉じ始めから閉じ切るまでの動作を行う。
【００３２】
シャッタ羽根１３が露光用開口部１２を閉じ切る位置から全閉まで移動するとき（第３動作）、駆動レバー１６が揺動される角度を駆動ピン１５が駆動される角度で除した値ＥＲは、２°／４．０°＝０．５である。なお、第３動作はシャッタ速度に影響しない。
【００３３】
つぎに、駆動ピン１５の駆動する角度と、駆動ピン１５が作動を開始してからの時間との関係について説明する。図１１に示すように、シャッタ羽根１３が全開から露光用開口部１２を閉じ始めるまで移動するとき、駆動ピン１５が駆動される速度は徐々に加速する。具体的には、駆動ピン１５が１８．０°の角度に駆動され、シャッタ羽根１３が露光用開口部１２を閉じ始める。駆動ピン１５が駆動を開始してから閉じ始める時間をｔ１とする。この閉じ始める状態は、図５に示すような状態である。その後、駆動ピン１５は、１３．０°の角度を駆動される間に、シャッタ羽根１３を閉じ始めから閉じ切るまで駆動する。駆動ピンが駆動を開始してから閉じ切る時間をｔ２とする。この閉じ切る状態は、図７に示すような状態である。その後、駆動ピン１５は、シャッタ羽根１３を全閉まで駆動する。この全閉の状態は、図９に示すような状態である。シャッタ羽根１３が全開から閉じ始めるまでに、駆動ピン１５が駆動される角度が大きいことで、駆動ピン１５が十分な速度になってから、シャッタ羽根１３が閉じ始める。また、シャッタ羽根１３を閉じ始めから閉じ切るまでを、駆動ピン１５が駆動する角度が小さい。この結果、シャッタ羽根１３が露光用開口部１２を閉じ始めから閉じ切るまでの時間ｔ２−ｔ１を短縮できる。この短縮ができることにより、撮像素子が、撮影したい画像情報を取り込んだ後に、シャッタ羽根１３により、より早くノイズ（余計な光）を遮断することが可能となる。この遮断により、本実施の形態を備えるカメラでは、より良好な画質の撮影画像を提供することができる。
【００３４】
以上のように、本実施の形態のシャッタユニット１は、全開から閉じ始めまでの動作で、駆動ピン１５は、孔１７のカム形状の湾曲部３６の下り坂の部分を摺動するため、効率的に加速する。また、全開から閉じ始めまでの領域で駆動ピン１５を大きく回転させるため、全開から閉じ始めの領域で駆動ピン１５を十分加速できる。また、駆動ピン１５の動き始めの負荷が減少する。このように、駆動ピン１５が十分加速されてから、シャッタ羽根１３が露光用開口部１２を閉じ始める。また、シャッタユニット１は、駆動レバー１６の孔１７に湾曲部３６を有していることで、閉じ始めから閉じ切るまでの駆動ピン１５が動く範囲が小さくなる。このため、駆動ピン１５の小さい駆動範囲でシャッタ羽根１３の閉じ始めから閉じ切るまでの動作を行う。この結果、シャッタユニット１は、シャッタ羽根１３が露光用開口部１２を閉じ始めから閉じ切るまでの時間を短縮できる。この短縮により、例えば、カメラに備えられる撮像素子が、撮影したい画像情報をカメラ外からレンズを介して取り込んだ後に、シャッタ羽根１３により、より早くノイズ（余計な光）を遮断することが可能となる。この遮断により、本実施の形態を備えるカメラでは、より良好な画質の撮影画像を提供することができる。
また、本実施の形態のシャッタユニット１は、駆動ピン１５と孔１７との内周との間に隙間ができにくいため、シャッタの切りむらを抑制できる可能性もある。
【００３５】
なお、駆動レバー１６の大きさや形状、駆動ピン１５の可動範囲（電磁アクチュエータ１４の駆動アーム３５の長さ、電磁アクチュエータ１４が駆動アーム３５を駆動する角度範囲など）、孔１７の湾曲部３６の形状などの構成は、シャッタ羽根１３を全開から閉じ始めまで駆動するとき、駆動ピン１５が駆動される角度を駆動レバー１６が揺動される角度で除した値が、シャッタ羽根１３を閉じ始めから閉じ切るまで駆動するとき、駆動ピン１５が駆動される角度を駆動レバー１６が揺動される角度で除した値より大きくなるように構成されていれば、任意である。
【００３６】
（比較例）
これに対して、孔１７が湾曲部を有していない比較例について図１２〜図１５を参照して説明する。湾曲部を有する孔１７を一般的な設計で用いられるストレートの孔９７に変更した以外は同じであるとする。
【００３７】
まず、駆動ピン１５と駆動レバー１６との動きについて具体的に説明する。上述の実施の形態と同様に、全開から駆動レバー１６が６°揺動すると、シャッタ羽根１３は、露光用開口部１２を閉じ始めるとする。また、シャッタ羽根１３が露光用開口部１２を閉じ始めてから、駆動レバー１６が８°揺動すると、シャッタ羽根１３は露光用開口部１２を閉じ切るとする。また、シャッタ羽根１３が露光用開口部１２を閉じ切ってから、駆動レバー１６が２°揺動すると、シャッタ羽根１３は全閉になるとする。
【００３８】
全開での駆動ピン１５と駆動レバー１６との位置関係を図１２に示す。つぎに、図１３に示すように、駆動ピン１５が１３．６°駆動されると、駆動レバー１６は６°揺動する。この状態では、シャッタ羽根１３は、露光用開口部１２を閉じ始める位置まで移動している。つぎに、図１４に示すように、駆動ピン１５が１７．１°駆動されると、駆動レバー１６は８°揺動する。この状態では、シャッタ羽根１３は、露光用開口部１２を閉じ切る位置まで移動している。つぎに、図１５に示すように、駆動ピン１５が４．９°駆動されると、駆動レバー１６は２°揺動する。この状態では、シャッタ羽根１３は、全閉である。
【００３９】
シャッタ羽根１３が全開から露光用開口部１２を閉じ始める位置まで移動する（第１動作）とき、駆動レバー１６が揺動される角度を駆動ピン１５が駆動される角度で除した値ＦＣは、６°／１３．６°＝０．４４である。比較例の値ＦＣは、実施の形態の値ＦＲ（３．０）より小さくなっており、実施の形態のシャッタユニット１の第１動作と比較して、比較例の第１動作は、駆動レバー１６が揺動される角度に対して駆動ピン１５を駆動できる角度が小さくなっている。このため、駆動ピン１５が十分加速する前にシャッタ羽根１３が閉じ始める。このように、本比較例は、上述した実施の形態のシャッタユニット１のように、シャッタ羽根１３を閉じ始めるまでに駆動ピンを十分加速するという効果を得られず、駆動ピン１５の動き始めの負荷を減少させる効果も得られない。
【００４０】
また、シャッタ羽根１３が露光用開口部１２を閉じ始める位置から閉じ切る位置まで移動するとき（第２動作）、駆動ピン１５が駆動される角度を駆動レバー１６が揺動される角度で除した値ＳＣは、８°／１７．１°＝０．４７である。比較例の値ＳＣは、実施の形態の値ＦＲ（１．６）より大きくなっており、上述の実施の形態のシャッタユニット１の第２動作と比較して、比較例の第２動作は、駆動レバー１６が揺動される角度に対して駆動ピン１５が駆動される角度が大きくなる。このため、シャッタ羽根１３の閉じ始めから閉じ切るまでの動作を駆動ピン１５の大きい駆動角で行う必要がある。これらの結果、実施の形態と比較して、比較例のシャッタ速度は遅くなる。このように、本比較例は、上述した実施の形態のシャッタユニット１のように、シャッタ羽根１３の閉じ始めから閉じ切るまでの動作を駆動ピン１５の小さい駆動角で駆動するという効果を得られない。
【００４１】
つぎに、駆動ピン１５の駆動する角度と、駆動ピン１５が作動を開始してからの時間との関係について説明する。図１６に示すように、具体的には、駆動ピン１５が１３．６°の角度を駆動され、シャッタ羽根１３が露光用開口部１２を閉じ始める。駆動を開始してから閉じ始める時間をｔｃ１とする。その後、駆動ピン１５は、１７．１°の角度を駆動される間に、シャッタ羽根１３を閉じ始めから閉じ切るまで駆動する。駆動を開始してから閉じ切る時間をｔｃ２とする。本比較例を上述の実施の形態と比較する。シャッタ羽根１３が閉じ始める駆動ピン１５の角度は、上述の実施の形態では、１８．０°であるが、比較例では、１３．６°である。このため、ｔｃ１は、ｔ１より小さい値になる。また、シャッタ羽根１３が閉じ切る駆動ピン１５の角度は、実施の形態と比較例とで同じであり約３１°である。このため、ｔｃ２とｔ２とは同じ値になる。この結果、実施の形態のシャッタ羽根１３が露光用開口部１２を閉じ始めから閉じきるまでの時間ｔ２−ｔ１に比べて、比較例の時間ｔｃ２−ｔｃ１が長くなる。このことから、湾曲部を有していないストレートの孔９７を有する比較例は、上述した本実施の形態のシャッタユニット１のようなシャッタ速度を向上させる効果は得られない。このため、比較例を備えるカメラでは、カメラに備えられる撮像素子が、撮影したい画像情報をカメラ外からレンズを介して取り込んだ後に、シャッタ羽根１３により早くノイズ（余計な光）を遮断しにくくなる。
【００４２】
上記の実施例では、シャッタ羽根１３を４枚備えているが、シャッタ羽根１３の枚数は、露光用開口部１２を開閉できれば特に限定されず、例えば、２枚としても差し支えない。また、シャッタ羽根１３は、１枚であってもよい。従って、上記の実施例の場合には、電磁アクチュエータ１４として電流制御式のアクチュエータを用いた場合で説明したが、本発明は、ステップモータなどの他の電磁駆動手段を用いるようにしてもよい。
【００４３】
また、上記の実施の形態では、デジタルスチルカメラに採用されるシャッタ装置を例にこの発明を説明したが、本発明のシャッタユニット１を、銀塩フィルムカメラ用シャッタ、監視カメラ等の各種カメラ用シャッタとしても応用することも可能である。更に、本発明のカメラは、デジタルスチルカメラだけでなく、例えばカメラを備えたスマートフォンなどのカメラを備えた携帯情報端末なども含まれる。
【００４４】
また、シャッタユニット１を銀塩フィルムカメラに採用する場合、シャッタ羽根１３が図９の位置にある状態が、初期状態となる。レリーズボタンが押されると、図１に示すように、シャッタ羽根１３が露光用開口部１２を開放する。所定の露光時間を開放した後、シャッタ羽根１３を露光用開口部１２を閉じるように駆動し、シャッタ羽根１３が図９の初期状態に戻り、撮影が終了する。
【００４５】
本発明は、本発明の広義の精神と範囲を逸脱することなく、様々な実施の形態及び変形が可能とされるものである。上述した実施の形態は、本発明を説明するためのものであり、本発明の範囲を限定するものではない。
【産業上の利用可能性】
【００４６】
本発明は、例えばデジタルスチルカメラのシャッタ装置として、好適に利用され得る。
【符号の説明】
【００４７】
１  シャッタユニット
１１  ベース
１２  露光用開口部
１３Ａ〜１３Ｄ  シャッタ羽根
１４  電磁アクチュエータ
１５  駆動ピン
１６  駆動レバー
１７  孔
２２Ａ〜２２Ｄ、４２  軸
２３Ａ〜２３Ｄ、４１  孔
２４Ａ〜２４Ｄ  貫通孔
２５  作動ピン
３１  励磁コイル
３２  枠部材
３３  回転軸
３４  回転子
３５  駆動アーム
３６  湾曲部
３７  直線部
９７  孔
【図１】
2016180809.tif 000003
【図２】
2016180809.tif 000004
【図３】
2016180809.tif 000005
【図４】
2016180809.tif 000006
【図５】
2016180809.tif 000007
【図６】
2016180809.tif 000008
【図７】
2016180809.tif 000009
【図８】
2016180809.tif 000010
【図９】
2016180809.tif 000011
【図１０】
2016180809.tif 000012
【図１１】
2016180809.tif 000013
【図１２】
2016180809.tif 000014
【図１３】
2016180809.tif 000015
【図１４】
2016180809.tif 000016
【図１５】
2016180809.tif 000017
【図１６】
2016180809.tif 000018